(57)【特許請求の範囲】
【請求項１】
所定間隔毎に取付孔が形成され上下方向に伸びる複数本の垂直支柱と水平方向に伸びて前記垂直支柱を連結する複数本の水平棒材とを有し、建築物の外側に配置されるユニット枠体と、
前記取付孔に対応する貫通孔を有する連結部材が両端部に設けられたベース部と当該ベース部の一端部に取り付けられ前記建築物の躯体部に着脱自在に締結される締結梁と前記ベース部の他端部と前記締結梁との間に固定された補強部材とをそれぞれ有し、前記取付孔と前記貫通孔に取り付けられる止めピンないしボルトにより前記垂直支柱に取り付けられる複数の締結具と、
前記取付孔に対応する貫通孔を有する連結部材が両端部に設けられたベース部を有し、前記取付孔と前記貫通孔に取り付けられる止めピンないしボルトにより前記垂直支柱に前記建築物に向けて水平に取り付けられる複数の足場板支持梁と、
水平方向に隣り合う前記足場板支持梁に両端が着脱自在に装着される足場板とを有し、
前記締結具の前記躯体部に対する締結を解除した状態のもとで上側階に移動し得ることを特徴とする登攀式作業ユニット。
【請求項２】
請求項１記載の登攀式作業ユニットにおいて、前記ユニット枠体の側辺に外方に向けて前記ユニット枠体に平行となって水平に突設される梯子支持梁と、上下方向に隣り合う前記梯子支持梁との間に取り付けられる梯子と、前記側辺に位置する前記足場板支持梁に回動自在に装着される渡り足場とを有し、作業者が前記梯子を介して上下に移動し得るとともに前記渡り足場を介して相互に隣り合う登攀式作業ユニットに移動し得ることを特徴とする登攀式作業ユニット。
【請求項３】
所定間隔毎に取付孔が形成され上下方向に伸びる複数本の垂直支柱と水平方向に伸びて前記垂直支柱を連結する複数本の水平棒材とを有し、建築物の外側に配置されるユニット枠体と、
前記取付孔に対応する貫通孔を有する連結部材が両端部に設けられたベース部と当該ベース部の一端部に取り付けられ前記建築物の躯体部に着脱自在に締結される締結梁と前記ベース部の他端部と前記締結梁との間に固定された補強部材とを有し、前記取付孔と前記貫通孔に取り付けられる止めピンないしボルトにより前記垂直支柱に取り付けられる複数の締結具と、
前記ユニット枠体の下端部に前記建築物に対して反対側に向けて水平方向に突設される支持台と、
前記支持台に支持されて前記垂直支柱に固定される内側足場支柱、それぞれの前記内側足場支柱に対応して前記支持台に支持される外側足場支柱、および前記内側支柱と前記外側支柱との間に水平方向に固定される足場板支持梁を備えた足場建枠と、
水平方向に隣り合う前記足場板支持梁に両端が着脱自在に装着される足場板とを有し、
前記締結具の前記躯体部に対する締結を解除した状態のもとで上側階に移動し得ることを特徴とする登攀式作業ユニット。
【発明の詳細な説明】
【０００１】
【発明の属する技術分野】
本発明は建築物を建造する際に構築物の外側に配置されて作業者が建造作業を行うようにし、所定の作業終了が終了したときに上方に移動される登攀式作業ユニットに関する。
【０００２】
【従来の技術】
中層ないし高層の建築物を建造する場合には、地上から足場を組み上げていくことは困難であることから、建築物の外側に配置される作業ユニットを上層階側に移動させるようにした技術が開発されている。作業者は作業ユニットに設けられた足場板の上で外面塗装作業などの種々の建築作業を行うことになる。この作業ユニットは、所定階数、たとえば、３階あるいは４階程度の階数に対応する高さとなって建築物の外側に配置され、作業ユニットを使用した所定の作業が終了するとともに、上層側の部分の建築が進むに従って作業ユニットはクレーンやホイストなどによって上方に登攀移動される。
【０００３】
【発明が解決しようとする課題】
このようなタイプの作業ユニットは、建築現場まで分解した状態でトラック輸送ができるとともに、建築現場において容易に組立てることができることが好ましく、さらに、上方に登攀移動させる際には迅速に建築物の躯体部から取り外してクレーンなどにより迅速に移動し得ることが好ましい。
【０００４】
しかしながら、これまで開発された登攀式の作業ユニットは、所定の作業が終了した後に上昇移動させる盛替作業に時間がかかるという問題点がある。
【０００５】
本発明の目的は、組立て分解作業を迅速に行うことができるとともに上昇移動作業を迅速に行うことができる登攀式作業ユニットを提供することにある。
【０００６】
【課題を解決するための手段】
本発明の登攀式作業ユニットは、所定間隔毎に取付孔が形成され上下方向に伸びる複数本の垂直支柱と水平方向に伸びて前記垂直支柱を連結する複数本の水平棒材とを有し、建築物の外側に配置されるユニット枠体と、前記取付孔に対応する貫通孔を有する連結部材が両端部に設けられたベース部と当該ベース部の一端部に取り付けられ前記建築物の躯体部に着脱自在に締結される締結梁と前記ベース部の他端部と前記締結梁との間に固定された補強部材とをそれぞれ有し、前記取付孔と前記貫通孔に取り付けられる止めピンないしボルトにより前記垂直支柱に取り付けられる複数の締結具と、前記取付孔に対応する貫通孔を有する連結部材が両端部に設けられたベース部を有し、前記取付孔と前記貫通孔に取り付けられる止めピンないしボルトにより前記垂直支柱に前記建築物に向けて水平に取り付けられる複数の足場板支持梁と、水平方向に隣り合う前記足場板支持梁に両端が着脱自在に装着される足場板とを有し、前記締結具の前記躯体部に対する締結を解除した状態のもとで上側階に移動し得ることを特徴とする。
【０００７】
また、本発明の登攀式作業ユニットは、前記ユニット枠体の側辺に外方に向けて前記ユニット枠体に平行となって水平に突設される梯子支持梁と、上下方向に隣り合う前記梯子支持梁との間に取り付けられる梯子と、前記側辺に位置する前記足場板支持梁に回動自在に装着される渡り足場板とを有し、作業者が前記梯子を介して上下に移動し得るとともに前記渡り足場板を介して相互に隣り合う登攀式作業ユニットに移動し得ることを特徴とする。
【０００８】
さらに、本発明の登攀式作業ユニットは、所定間隔毎に取付孔が形成され上下方向に伸びる複数本の垂直支柱と水平方向に伸びて前記垂直支柱を連結する複数本の水平棒材とを有し、建築物の外側に配置されるユニット枠体と、前記取付孔に対応する貫通孔を有する連結部材が両端部に設けられたベース部と当該ベース部の一端部に取り付けられ前記建築物の躯体部に着脱自在に締結される締結梁と前記ベース部の他端部と前記締結梁との間に固定された補強部材とを有し、前記取付孔と前記貫通孔に取り付けられる止めピンないしボルトにより前記垂直支柱に取り付けられる複数の締結具と、前記ユニット枠体の下端部に前記建築物に対して反対側に向けて水平方向に突設される支持台と、前記支持台に支持されて前記垂直支柱に固定される内側足場支柱、それぞれの前記内側足場支柱に対応して前記支持台に支持される外側足場支柱、および前記内側支柱と前記外側支柱との間に水平方向に固定される足場板支持梁を備えた足場建枠と、水平方向に隣り合う前記足場板支持梁に両端が着脱自在に装着される足場板とを有し、前記締結具の前記躯体部に対する締結を解除した状態のもとで上側階に移動し得ることを特徴とする。
【０００９】
【発明の実施の形態】
以下、本発明の実施の形態を図面に基づいて詳細に説明する。
【００１０】
図１は本発明の一実施の形態である登攀式作業ユニットを建築物の外側に取り付けた状態を示す斜視図であり、図２は図１の正面図であり、図３は図２におけるＡ−A線に沿う方向の矢視図であり、図4は図２の平面図である。
【００１１】
図１および図３には建造途中における建築物１０の躯体部１１が示されており、本発明の登攀式作業ユニット２０は建築物１０の外側に配置されるようになっている。マンションやオフィスビルなどの１つの建築物を建築する際には、その外側全体を覆うように所定の台数の作業ユニット２０が建築物１０に取り付けられることになる。図１および図２には、１つの作業ユニット２０とこれに隣接する他の作業ユニット２０の一部が示されており、作業ユニット２０は建築物１０の外側に配置されるユニット枠体２１を有している。
【００１２】
ユニット枠体２１は、上下方向に伸びる複数本の垂直支柱２２と、水平方向に伸びて垂直支柱２２を上下両端部で連結する複数本の水平棒材２３とを備えており、相互に隣り合う垂直支柱２２は筋交い２４により連結され、ユニット枠体２１の強度が確保されている。垂直支柱２２は図示する場合には５本設けられているが、任意の本数とすることができ、水平棒材２３についても任意の本数とすることができる。図１に示すように、ユニット枠体２１の外面には安全ネット１９が取り付けられており、作業者の安全と工具などの落下を防止している。垂直支柱２２は、それぞれ所定の長さのチャンネル材を接続することにより形成されており、分解および組立てを行うことができる。
【００１３】
図５（Ａ）は垂直支柱２２を示す側面図であり、図５（Ｂ）は垂直支柱２２を示す正面図であり、図５（Ｃ）は垂直支柱２２の一部を示す斜視図である。垂直支柱２２はそれぞれ所定長さの断面コの字形状の２本のチャンネル材２２ａを逆向きにし、それぞれに溶接されるスペーサ２５によって固定することにより形成されている。
【００１４】
一方のチャンネル材２２ａの一端部と他方のチャンネル材２２ａの他端部にはそれぞれ断面コの字形状のジョイント部材２５ａが固定され、それぞれのジョイント部材２５ａには取付孔２６ａが形成されている。また、一方のチャンネル材２２ａの他端部と他方のチャンネル材２２ａの一端部には、それぞれ取付孔２６ａに対応して取付孔２６ｂが形成されている。これにより、ジョイント部材２５ａによって、所定の長さの垂直支柱２２を連結することによりユニット枠体２１を構成することができる。
【００１５】
それぞれのチャンネル材２２ａの対向面には、長手方向に所定の間隔毎に取付孔２６が形成されている。その取付孔２６を貫通するボルトによってジョイント部材を取り付け、ジョイント部材を介して垂直支柱２２を連結することにより必要な長さの垂直支柱２２を建築現場で容易に組立てることができる。
【００１６】
それぞれの垂直支柱２２には所定の間隔毎に水平に締結具２７が図１および図３に示すように取り付けられており、この締結具２７は建物の躯体部１１に締結されるようになっている。
【００１７】
図６は締結具２７を示す正面図であり、図７は建築物１０の躯体部１１に取り付けられる締結ブラケットを示す斜視図である。図６に示すように、締結具２７は角パイプからなるベース部２８を有し、その両端部にはそれぞれ垂直支柱２２に形成された取付孔２６に対応する貫通孔２９が形成された連結部材３１が固定されている。ベース部２８の一端部には角パイプからなる締結梁３２がベース部２８に対して直角方向に固定されており、ベース部２８の他端部と締結梁３２との間には、角パイプからなる補強部材３３が固定されている。締結具２７の補強部材３３には締結ピン３４が取り付けられ、この締結ピン３４は躯体部１１に固定される締結ブラケット３５に係合されるようになっている。
【００１８】
この締結ブラケット３５は締結プレート３６とこの表面に垂直に固定された２つの支持プレート３７とを有し、締結プレート３６には躯体部１１に埋め込まれたアンカーボルトが貫通する貫通孔３９が形成され、支持プレート３７には締結ピン３４が貫通する長孔３８が形成されている。なお、図６に示す構造のベース部２８を用いることなく、連結部材３１を締結梁３２と補強部材３３とにそれぞれ直接固定するようにしても良く、さらには、ベース部２８と連結部材３１とを用いることなく、締結梁３２と補強部材３３とに直接貫通孔２９を形成するようにして締結梁３２と補強部材３３とを垂直支柱２２に直接取り付けるようにしても良い。
【００１９】
図３に示すように、垂直支柱２２に締結具２７を取り付けるには、連結部材３１に形成された貫通孔２９と垂直支柱２２に形成された取付孔２６とに止めピンないしボルトを取り付けることによって、ベース部２８を垂直支柱２２に固定することになる。図３に示すように、それぞれの垂直支柱２２に４つの締結具２７を用いてユニット枠体２１を締結するには、締結具２７に対応する躯体部１１に取り付けられたアンカーボルトを締結プレート３６の貫通孔３９に貫通させてアンカーボルトにナットを締結する。
【００２０】
ユニット枠体２１を構成するそれぞれの垂直支柱２２には、図１および図３に示されるように、足場板支持梁４１が建築物１０に向けて突設されている。
【００２１】
図８は足媒体支持梁４１を示す正面図であり、足場板支持梁４１は角パイプからなるベース部４２を有し、その両端部にはそれぞれ垂直支柱２２に形成された取付孔２６に対応する貫通孔４３が形成された連結部材４４が固定されている。ベース部４２の一端部には丸パイプからなる支持梁本体４５がベース部４２に対して直角方向に固定されており、ベース部４２の他端部と支持梁本体４５との間には、丸パイプからなる補強部材４６が固定されている。したがって、図３に示すように、垂直支柱２２に足場板支持梁４１を取り付けるには、連結部材４４に形成された貫通孔４３と垂直支柱２２に形成された取付孔２６とに止めピンないしボルトを取り付けることによって、ベース部４２を垂直支柱２２に固定することになる。
【００２２】
図４に示されるように、それぞれの垂直支柱２２に取り付けられるとともに水平方向に隣り合う足場板支持梁４１の間には足場板４７が着脱自在に装着されるようになっている。それぞれの足場板支持梁４１には、図４に示すように、建築物１０の外面との間の隙間が広い部分に２つの足場板４７が装着され、建築物１０の柱１２との間の隙間が狭い部分に１つの足場板４７が装着される。
【００２３】
図９は足場板４７を示す平面図であり、足場板４７の両端部には足場板支持梁４１の支持梁本体４５に係合するフック４８が設けられており、フック４８の部分を支持梁本体４５に係合することによって足場板４７は足場板支持梁４１に着脱自在に装着される。なお、足場板支持梁４１の支持梁本体４５としては、図８に示すように１本のパイプによって形成するようにしても良く、さらには、図８において二点鎖線で示すように支持梁本体４５の内部に摺動自在に摺動パイプ４５ａを嵌合させるようにして、足場板支持梁４１の全長を可変とするようにしても良い。
【００２４】
１つの作業ユニットは建築物の複数階分の上下寸法と、所定の幅寸法を有しており、１つの建築物に対しては複数の作業ユニットが使用される。図１および図３に示されるように、１つの作業ユニットと他の作業ユニットは所定の間隔を隔てて建築物の外側に配置される。そこで、１つの作業ユニットからこれに隣接する他の作業ユニットに作業者が移動し得るように、ユニット枠体２１の一方の側辺に位置する足場板支持梁４１には渡り足場板５１が回動自在に装着されている。この渡り足場板５１には、図１および図４に示すように、開閉式のハッチ５２が取り付けられている。
【００２５】
ユニット枠体２１の一方の側辺に位置する垂直支柱２２には、図１および図２に示すように、梯子５３が取り付けられている。梯子５３を垂直支柱２２に取り付けるために、垂直支柱２２には梯子支持梁５４が所定の間隔毎にユニット枠体２１の外方に向けてユニット枠体２１の外面に平行となって水平に取り付けられており、梯子５３は梯子支持梁５４に取り付けられている。したがって、作業者が上下方向に移動する際には、ハッチ５２を開放して梯子５３を上り下りすることになる。
【００２６】
このような構成を有する登攀式作業ユニットは、作業ユニットを構成する各部材を建築現場において組立てて図１〜図３に示すように建築物の外面に配置する。作業ユニットはそれぞれ垂直支柱２２に取り付けられた締結具２７によって躯体部１１に締結される。これにより、作業者は足場板支持梁４１に掛け渡された足場板４７の上で外面塗装などの種々の作業を行うことができる。
【００２７】
建築作業の進行に伴って上側階が建設され、作業ユニット２０を上側階に向けて登攀移動させる盛替作業に際しては、まず、締結具２７の躯体部１１に対する締結を解く。その状態のもとで、ユニット枠体２１をクレーンやホイストなどの持ち上げ装置によって、たとえば１階分だけ上昇させて、締結具２７によって作業ユニットを躯体部１１に締結する。これにより、新たに建築された上側階の部分についての作業を行うことができる。このように、本発明の登攀式作業ユニットは、盛替作業時には締結具２７の締結を解除してユニット枠体を上昇移動させるだけであり、迅速に盛替作業を行うことができる。
【００２８】
図１０は締結具の変形例を示す正面図であり、図１０にあっては図６に示した締結具２７の構成部材と共通する部材には同一の符号が付されている。この締結具２７にあっては、締結梁３２には躯体部１１の外面に接触するストッパ５５が固定され、締結梁３２の先端部に摺動自在に嵌合されたスリーブ５６には、クランプアーム５７が取り付けられている。このクランプアーム５７にねじ結合された締結ねじ５８の先端部には躯体部１１の内面に接触する締結駒５９が設けられている。締結梁３２には複数の位置決め孔６０が形成され、躯体部１１の厚み寸法に合わせていずれかの位置決め孔６０に止めピン６１を取り付けることにより、スリーブ５６の締結梁３２に対する位置を設定することができる。
【００２９】
図１１は本発明の他の実施の形態である登攀式作業ユニットを示す図であり、図１１は前述した実施の形態における図３に対応する部分を示す。この作業ユニットにおけるユニット枠体２１は前述した実施の形態と同様の構造であり、締結具２７によって建築物１０の躯体部１１に取り付けられるようになっている。このユニット枠体２１の下端部には建築物１０に対して反対側に向けて支持台６２が突設されており、支持台６２には足場建枠６３が取り付けられるようになっている。
【００３０】
図１２は図１１に示された足場建枠６３を示す斜視図であり、この足場建枠６３はそれぞれ垂直支柱２２にクランプ材により固定されるとともに支持台６２に支持される内側足場支柱６４と、それぞれの内側足場支柱６４に対応して支持台６２に支持される外側足場支柱６５とを有し、内側足場支柱６４と外側足場支柱６５との間には水平方向の足場板支持梁６６が固定されている。
【００３１】
隣り合う内側足場支柱６４相互間と、隣り合う外側足場支柱６５相互間には、筋交い６７が取り付けられて足場建枠６３は補強されている。そして、水平方向に隣り合う足場板支持梁６６の間には足場板４７が着脱自在に装着されており、それぞれの足場板４７は図９に示したものと同様の構造となっている。
【００３２】
図１１および図１２に示す登攀式作業ユニット２０は、前述した実施の形態の作業ユニット２０がユニット枠体２１の内側に足場板４７が装着されるのに対して、ユニット枠体２１の外側に取り付けられた足場建枠６３に足場板４７が装着されるようになっている。したがって、足場建枠６３の外側に安全ネット１９が取り付けられることになる。この作業ユニットも前述した実施の形態と同様に締結具２７の締結を解除することによって、クレーンなどで上側階に移動させることができる。図１１に示すタイプの作業ユニットにあっても、締結具２７として図６に示すものを使用しても良く、図１０に示すものを使用しても良い。
【００３３】
図１１および図１２に示すタイプの作業ユニット２０においても、相互に隣り合う作業ユニットの間に渡り足場板５１を設けるようにしても良く、さらには、梯子５３を設けるようにしても良い。
【００３４】
本発明は前記実施の形態に限定されるものではなく、その要旨を逸脱しない範囲で種々変更可能である。たとえば、それぞれのユニット枠体２１のサイズおよびユニット枠体２１に装着される足場板の段数は建築現場に応じて任意に設定することができる。
【００３５】
【発明の効果】
本発明によれば、登攀式作業ユニットを容易に分解組立てすることができるとともに、躯体部に対する締結を解除してクレーンなどによって上方に容易に盛替移動させることができる。
【図面の簡単な説明】
【図１】本発明の一実施の形態である登攀式作業ユニットを建築物の外側に取り付けた状態を示す斜視図である。
【図２】図１の正面図である。
【図３】図２におけるＡ−A線に沿う方向の矢視図である。
【図４】図２の平面図である。
【図５】（Ａ）は垂直支柱を示す側面図であり、（Ｂ）は垂直支柱を示す正面図であり、（Ｃ）は垂直支柱の一部を示す斜視図である。
【図６】締結具を示す正面図である。
【図７】締結具を躯体部に締結するための締結ブラケットを示す斜視図である。
【図８】足場板支持梁を拡大して示す正面図である。
【図９】足場板を示す平面図である。
【図１０】締結具の変形例を示す正面図である。
【図１１】本発明の他の実施の形態である登攀式作業ユニットを示す図である。
【図１２】図１１に示された足場建枠を示す斜視図である。
【符号の説明】
１０      建築物
１１      躯体部
１９      安全ネット
２０      登攀式作業ユニット
２１      ユニット枠体
２２      垂直支柱
２３      水平棒材
２４      筋交い
２５      スペーサ
２６      取付孔
２７      締結具
２８      ベース部
２９      貫通孔
３１      連結部材
３２      締結梁
３３      補強部材
３４      締結ピン
３５      締結ブラケット
３６      締結プレート
３７      支持プレート
３８      長孔
４１      足場板支持梁
４２      ベース部
４３      貫通孔
４４      連結部材
４５      支持梁本体
４６      補強部材
４７      足場板
４８      フック
５１      渡り足場板
５２      ハッチ
５３      梯子
５４      梯子支持梁
５５      ストッパ
５６      スリーブ
５７      クランプアーム
５８      締結ねじ
５９      締結駒
６０      位置決め孔
６１      止めピン
６２      支持台
６３      足場建枠
６４      内側足場支柱
６５      外側足場支柱
６６      足場板支持梁
【図１】
0003927804.tif 000002
【図２】
0003927804.tif 000003
【図３】
0003927804.tif 000004
【図４】
0003927804.tif 000005
【図５】
0003927804.tif 000006
【図６】
0003927804.tif 000007
【図７】
0003927804.tif 000008
【図８】
0003927804.tif 000009
【図９】
0003927804.tif 000010
【図１０】
0003927804.tif 000011
【図１１】
0003927804.tif 000012
【図１２】
0003927804.tif 000013